(57)【要約】【課題】通信エラーが生じたときに、回線品質の高い空き回線に切替えて再送信できるようにして通信の効率、信頼性を高める。【解決手段】複数の通信回線Ｌ１、Ｌ２…に接続されたマルチ回線対応型通信端末装置において、すべての通信回線Ｌ１、Ｌ２…の動作状態を監視し、いずれかの通信回線Ｌ１に通信エラーが生じたときには通信を中断し、空状態になっている通信回線Ｌ２…のうちから、通信エラーを生じた通信回線Ｌ１よりも低い通信速度に設定されている通信回線Ｌ２…に切替えて、中断した通信を継続して行う通信制御部５１を備える。【選択図】図１
2004023601.tif 000002
【特許請求の範囲】
【請求項１】
複数の通信回線に接続されたマルチ回線対応型通信端末装置において、
すべての通信回線の動作状態を監視し、いずれかの通信回線に通信エラーが生じたときには通信を中断し、空き状態になっている通信回線のうちから、通信エラーを生じた通信回線よりも予め低い通信速度に設定されている通信回線に切替えて、中断した通信を継続して行う通信制御部を備えたことを特徴とするマルチ回線対応型通信端末装置。
【請求項２】
請求項１において、
上記通信制御部が通信エラーの発生時に切替え選択する通信回線を予め設定できるようにした切替設定手段を備えたことを特徴とするマルチ回線対応型通信端末装置。
【請求項３】
請求項１において、
上記通信回線は、それぞれに、通信速度、信号出力レベルを設定するレベル設定手段を備えたことを特徴とするマルチ回線対応型通信端末装置。
【発明の詳細な説明】
【０００１】
【発明の属する技術分野】
本発明は、複数の通信回線に接続されたマルチ回線対応型通信端末装置の改良に関する。
【０００２】
【従来の技術】
従来、複数の通信回線に接続されたマルチ回線対応型通信端末装置においては、１回線目より送信されるが、この送信時に通信エラーが生じた場合には、所定時間待機後に上記１回線目より再送信するか、或いは、ユーザ側で他の空き回線を選択して再送信するものであった。
【０００３】
【発明が解決しようとする課題】
ところが、所定時間経過後に、１回線目より再送信したときには、再び通信エラーを生じ、このような再送信を繰り返した後に、最後には送信不能と判断されて、通信が中断されていた。
【０００４】
また、他の空き回線を選択して再送信したときでも、選択された他の空回線も１回線目と同様、その回線品質が悪いために、通信エラーを生じ、同様な問題を生じている。
【０００５】
このように、従来のマルチ回線対応型通信端末装置では、回線品質の良悪に関係なく、これらの通信回線を選択していたので、何度も回線品質の悪い通信回線を使用してしまう虞れがあり、そのため、回線負荷がかかったり、通信料金の増額、通信の不達、通信の遅れなどによる信頼性が悪いという問題があった。
【０００６】
本発明は、上記事情を考慮してなされたものであり、通信エラーが生じたときには、回線品質の高い空き回線に切替えて再送信し、通信の信頼性を高めることのできるマルチ回線対応型通信端末装置を提供することを目的としている。
【０００７】
【課題を解決するための手段】
上記目的を達成するために、
請求項１に記載のマルチ回線対応型通信端末装置では、通信制御部が、すべての通信回線の動作状態を監視しており、いずれかの通信回線に通信エラーが生じたときには通信を中断し、空き状態になっている通信回線のうちから、通信エラーを生じた通信回線よりも低い通信速度に設定されている通信回線に切替えて、中断した通信を継続して行うようにしている。
【０００８】
そのため、何度も回線品質の悪い通信回線を使用して再送信する必要がなく、回線品質の良好な空き状態になっている通信回線を使用して、その途中から再送信するので、通信効率を高め、通信の信頼性を高めることができる。
【０００９】
請求項２に記載のマルチ回線対応型通信端末装置では、通信エラーの発生時に切替え選択する通信回線を予め設定できるようにした切替設定手段を備えている。
【００１０】
そのため、通信エラーが生じたときには、予めユーザ側で設定した回線品質の良い、あるいは使用頻度の少ない通信回線を使用して送信できるので、通信効率を高め、通信の信頼性を確実に高めることができる。
【００１１】
請求項３に記載のマルチ回線対応型通信端末装置では、通信回線は、それぞれに、通信速度、信号出力レベルを設定するレベル設定手段を備えている。
【００１２】
そのため、ユーザ側で回線毎に各通信パラメータを変更することができ、通信の信頼性をより高めることができる。
【００１３】
【発明の実施の形態】
以下に、本発明の実施の形態について、図面とともに説明する。図１は、本発明のマルチ回線対応型通信端末装置の一例を示すブロック図である。ここには、マルチ回線対応型通信端末装置として、マルチ回線対応のファクシミリ装置Ｆの構成を示しているが、本発明はこれには限定されず、マルチ回線対応のパソコンなどであってもよい。
【００１４】
図において、１は制御手段を構成し、以下の各部を制御する主制御部、２は複数の通信回線Ｌ１、Ｌ２、…Ｌｎに対する接続制御をするＮＣＵ、３はファクシミリ通信をするために信号の変復調をするモデム、４は画像データを一時記憶する画像メモリ、５は各種データを記憶するＲＡＭ、６は制御プログラムなどを予め記憶したＲＯＭ、７は液晶画面やＬＥＤなどで構成される表示部、８は各種操作キーなどで構成される操作部、９はセットされた原稿から画像を読み取る読取部、１０はファクシミリ受信した画像や、読取部９から読み取った画像を、予めセットされた記録紙に記録する記録部である。
【００１５】
ＲＡＭ５には、通信制御部５１を備え、この通信制御部５１は、すべての通信回線Ｌ１、Ｌ２、…Ｌｎの動作状態を監視し、いずれかの通信回線、例えばＬ１に通信エラーが生じたときには通信を中断し、空状態になっている通信回線Ｌ２、…Ｌｎのうちから、通信エラーを生じた通信回線Ｌ１よりも低い通信速度に設定されている通信回線、例えばＬ２に切替えて、中断した通信を継続して行うようにしている。
【００１６】
また、１１は、複数の通信回線Ｌ１、Ｌ２、…Ｌｎのうちから、通信エラーの発生時に切替え選択する通信回線を予め設定できるようにした切換設定手段であり、１２は、複数の通信回線Ｌ１、Ｌ２、…Ｌｎのそれぞれに、通信速度、信号出力レベルを設定可能なレベル設定手段である。
【００１７】
図２は、このような構成のマルチ回線対応のファクシミリ装置Ｆの基本動作をフローチャートをもって示している。
【００１８】
先ず、送信先の発呼先番号を特定して、送信をスタートすると、通信制御部５１は、使用している通信回線について、通信の開始、或いは、通信が正常か、通信エラーが発生したか否かを判別する（Ｓ１、Ｓ２）。
【００１９】
このとき、通信エラーが生じていなければ、通常通り、送信をスタートした通信回線（例えば通信回線Ｌ１）より送信先に送信される。
【００２０】
一方、通信制御部５１が、通信エラーの発生を判別したときには、上記通信回線（例えば通信回線Ｌ１）の通信を中断し、切替設定手段１１によって予め設定された通信回線が設定されている場合には、この設定されている通信回線（例えば通信回線Ｌ２）より送信先に送信される（Ｓ３、Ｓ４）。
【００２１】
ここで、予め切替られる通信回線としては、通信エラーを生じた通信回線に最も近い通信回線、最低速度に設定されている通信回線、空き頻度の高い通信回線などを設定するのが良い。
【００２２】
また、切替設定手段１１による設定が行われていない場合には、通信制御部５１は、上記通信回線（例えば通信回線Ｌ１）の通信を中断し、空き状態になっている他の通信回線Ｌ２…のうちから、通信エラーを生じた通信回線Ｌ１よりも低い通信速度に設定されている通信回線（例えば通信回線Ｌ２）を判別する（Ｓ５）。
【００２３】
ついで、通信回線Ｌ１を、通信速度の低い通信回線Ｌ２に切替えたうえで、中断した通信を再開して、送信先に送信される（Ｓ６）。
【００２４】
なお、上記通信速度とは、モデムの通信速度などを意味し、このモデムの通信速度は通常は最大に設定されており、その回線状態によってフォールバックされるが、レベル設定手段１２により、それぞれの通信回線Ｌ１、Ｌ２、…Ｌｎの通信速度、信号出力レベルを設定しておくことも可能である。
【００２５】
【発明の効果】
以上の説明からも理解できるように、
本発明の請求項１に記載のマルチ回線対応型通信端末装置によれば、通信制御部は、通信回線に通信エラーが生じたときには通信を中断し、空き状態になっている通信回線のうちから、通信エラーを生じた通信回線よりも低い通信速度に設定されている通信回線に切替えて、中断した通信を継続して行うようにしているため、何度も回線品質の悪い通信回線を使用して再送信を繰り返す必要がなく、、通信効率を高め、通信の信頼性を高めることができる。
【００２６】
本発明の請求項２に記載のマルチ回線対応型通信端末装置によれば、切替設定手段を備えているため、通信エラーが生じたときには、回線品質の良い通信回線を選択して通信を再開するので、通信効率を高め、通信の信頼性を確実に高めることができる。
【００２７】
本発明の請求項３に記載のマルチ回線対応型通信端末装置によれば、レベル設定手段を備えているため、回線毎に各通信パラメータを変更することができ、通信の信頼性をより高めることができる。
【図面の簡単な説明】
【図１】本発明のマルチ回線対応型通信端末装置の要部構成の一例を示すブロック図である。
【図２】本発明のマルチ回線対応型通信端末装置の基本動作を示すフローチャートである。
【符号の説明】
Ｆ・・・マルチ回線対応のファクシミリ装置（マルチ回線対応型通信端末装置）
Ｌ１〜Ｌｎ・・・通信回線
１・・・主制御部
５１・・・通信制御部
１１・・・切替設定手段
１２・・・レベル設定手段
【図１】
2004023601.tif 000003
【図２】
2004023601.tif 000004